(57)【要約】【課題】  音響信号を処理する複数のチャンネル（ｃｈ）を備えたミキサの各ｃｈに付ける名前を編集するミキサ用ネーム編集装置において、ユーザが毎回同じ名前を入力する手間を軽減し、使い勝手のよいｃｈネーム入力・編集を実現できる技術を提供することを目的とする。【解決手段】  ユーザが入力・編集して設定したチャンネルネームをカテゴリに紐付けて履歴情報として保持しておき、次のチャンネルネームの設定操作の際に、カテゴリを選択するだけで、そのカテゴリに紐付けられた履歴情報に応じたチャンネルネームの候補が提示されるようにする。これにより、カテゴリに紐付けられた履歴情報に応じたチャンネルネームの候補から選択するだけで、チャンネルネームを設定することが可能となり、ユーザが毎回同じ名前を入力する手間を軽減し、使い勝手のよいｃｈネーム入力・編集を実現できる。【選択図】  図８
2015184927.tif 000002
【特許請求の範囲】
【請求項１】
音響信号を処理する複数のチャンネルにチャンネルネームを設定するチャンネルネーム編集装置であって、
複数のカテゴリの選択肢を表示するカテゴリ表示手段と、
ユーザによる前記複数のカテゴリの選択肢からの１つのカテゴリの選択操作を受け付け、選択されたカテゴリを処理対象のチャンネルのカテゴリとして設定するカテゴリ設定手段と、
ユーザによるチャンネルネームの入力・編集を受け付けるチャンネルネーム入力・編集手段と、
前記チャンネルネーム入力・編集手段によって入力・編集されたチャンネルネームを、処理対象のチャンネルのチャンネルネームとして設定するチャンネルネーム設定手段と、
前記設定されたチャンネルネームを、前記処理対象のチャンネルに設定されているカテゴリに紐付けて、履歴情報として保持する履歴保持手段と、
前記カテゴリ設定手段でユーザによるカテゴリの選択が受け付けられたとき、そのカテゴリに紐付けられている前記履歴情報を読み出し、該読み出した履歴情報に基づいて処理対象のチャンネルに設定すべきチャンネルネームの候補を提示するチャンネルネーム候補提示手段と
を備え、
前記チャンネルネーム設定手段は、前記チャンネルネーム候補提示手段により提示されたチャンネルネームの候補からユーザにより選択されたチャンネルネームを、処理対象のチャンネルのチャンネルネームとして設定する機能を有する
ことを特徴とするチャンネルネーム編集装置。
【請求項２】
請求項１に記載のチャンネルネーム編集装置において、
さらに、前記カテゴリ設定手段でユーザによるカテゴリの選択が受け付けられたとき、その選択されたカテゴリに応じてあらかじめ定められたサンプルネームを表示するサンプルネーム表示手段を備え、
前記チャンネルネーム設定手段は、前記サンプルネーム表示手段により提示されたサンプルネームからユーザにより選択されたサンプルネームを、処理対象のチャンネルのチャンネルネームとして設定する機能を有する
ことを特徴とするチャンネルネーム編集装置。
【請求項３】
請求項２に記載のチャンネルネーム編集装置において、
前記処理対象のチャンネルに設定すべきチャンネルネームの候補として、前記サンプルネーム表示手段により提示されたサンプルネームと前記チャンネルネーム候補提示手段により提示されたチャンネルネームの候補とを混在させて表示し、該表示された中から処理対象のチャンネルのチャンネルネームを選択させる
ことを特徴とするチャンネルネーム編集装置。
【請求項４】
請求項３に記載のチャンネルネーム編集装置において、
前記チャンネルネーム候補提示手段により提示されたチャンネルネームの候補の方が前記サンプルネーム表示手段により提示されたサンプルネームより先頭に来るように表示する
ことを特徴とするチャンネルネーム編集装置。
【発明の詳細な説明】
【技術分野】
【０００１】
この発明は、音響信号を処理するミキサの各チャンネルに付ける名前を編集するミキサ用ネーム編集装置に関する。
【背景技術】
【０００２】
従来から、入力した音響信号に対してミキシング等の種々の処理を施して出力するミキサが知られている。ミキサは、音響信号を処理するための複数のチャンネル（ｃｈ）を備え、各ｃｈ毎の動作状況や設定状況を種々の画面で表示する機能を備える。各ｃｈにはそれぞれ名前（ｃｈネーム）を付けることができ、各ｃｈの各種の情報を表示する際にはｃｈネームを表示することで、ユーザが画面上で各ｃｈを容易に認識できるようにしている（非特許文献１参照）。
【０００３】
図９は、従来のミキサのｃｈネーム設定画面例を示す。所定の画面で１つのｃｈを指定してｃｈネーム設定を指示する所定の操作を行うことで、ｃｈネーム設定画面９０１が表示される。なお、ここではタッチ操作が可能なタッチパネル（タッチスクリーン）にｃｈネーム設定画面９０１を表示するものとする。９０２はクローズボタン、９０３はアイコン＆ネーム表示領域、９０４は候補アイコン表示領域、９０５はサンプルネーム表示領域である。アイコン＆ネーム表示領域９０３には、ｃｈネームを設定する処理対象ｃｈのｃｈ番号表示９３１、選択されたアイコンの表示９３２、および、ｃｈネーム設定領域９３３が設けられている。候補アイコン表示領域９０４には、選択できる候補である複数のアイコン９４１，９４２，…が表示される。サンプルネーム表示領域９０５には、選択できる候補であるサンプルネーム９５１，９５２，…が表示される。
【０００４】
候補アイコン表示領域９０４のアイコン９４１，９４２，…は、それぞれが１つのカテゴリを示しており、大まかに楽器種類等の概念を表している。例えば、アイコン９４１の「Ｋｉｃｋ」はバスドラム系の楽器を表すカテゴリであり、アイコン９４２の「Ｓｎａｒｅ」は小太鼓系の楽器を表すカテゴリを示す。なお、ここではアイコンを矩形と「Ｋｉｃｋ」などの文字列で図示したが、実際にはカテゴリに応じた図柄が表示される。ユーザは、これらのアイコン９４１，９４２，…から１つをタッチして選択し、処理対象のｃｈに付ける名前の大まかな概念を指定する。選択されたアイコンは、アイコン＆ネーム表示領域９０３の選択アイコン表示９３２に表示される。また、選択されたアイコンのカテゴリに応じたサンプルネームがサンプルネーム表示領域９０５に表示される。ユーザがサンプルネーム表示領域９０５に表示されたサンプルネーム９５１，９５２，…から１つをタッチすると、そのサンプルネームがｃｈネームとしてアイコン＆ネーム表示領域９０３のｃｈネーム設定領域９３３に設定される。
【０００５】
図９は、ユーザがアイコン９４１をタッチしてカテゴリとして「Ｋｉｃｋ」を選択した状態の画面を示している。アイコン９４１の斜線は、このアイコンが選択されたことを示す。サンプルネーム表示領域９０５には、選択されたカテゴリ「Ｋｉｃｋ」すなわちバスドラム系の楽器を呼ぶときにユーザがよく使うと思われる名前である「Ｋｉｃｋ」や「ＢａｓｓＤｒｕｍ」といった名前がサンプルネームとして表示されている。図９では未だユーザはサンプルネームを選択していないので、処理対象の入力ｃｈ１にデフォルトで付けられている名前「Ｉｎ０１」がｃｈネーム設定領域９３３に表示されている。この状態から、例えばユーザが、サンプルネーム表示領域９０５のサンプルネーム９５２をタッチすると、ｃｈネーム設定領域９３３に「ＢａｓｓＤｒｕｍ」が設定される。その状態でクローズボタン９０２をタッチして画面９０１を閉じると、入力ｃｈ１のカテゴリ「Ｋｉｃｋ」とｃｈネーム「ＢａｓｓＤｒｕｍ」の設定が確定する。これ以降、各ｃｈ毎の動作状況などを表示する画面においては、入力ｃｈ１のカテゴリとして「Ｋｉｃｋ」のアイコンが表示され、ｃｈネームとして「ＢａｓｓＤｒｕｍ」と表示されるので、ユーザはそのｃｈにバスドラムの楽音を割り当てていることを容易に認識できる。
【０００６】
また、ユーザがｃｈネーム設定領域９３３をタッチすると、その領域９３３にカーソルが表示され、その時点でｃｈネーム設定領域９３３に表示されている文字列の編集を行うことができる。この編集は、別途表示されるソフトウェアキーボード（あるいは物理的なハードウェアのキーボードを用いても良い）を用いて行う。ユーザは、サンプルネーム表示領域９０５に表示されたサンプルネームに選択したい名前が無い場合、処理対象のｃｈに、自分で任意に入力した例えば演奏者の名前などをｃｈネームとして設定できる。サンプルネーム表示領域９０５からサンプルネームを選択してｃｈネーム設定領域９３３に設定した後、ｃｈネーム設定領域９３３にタッチしてその名前を編集することもできるので、枝番なども簡単に付けることができる。
【先行技術文献】
【非特許文献】
【０００７】
【非特許文献１】DIGITAL MIXING CONSOLE M7CL、取扱説明書、２００５年、ヤマハ株式会社、P.81「チャンネル名／アイコンを設定する」の項
【発明の概要】
【発明が解決しようとする課題】
【０００８】
上述した従来のミキサにおけるｃｈネーム設定画面では、サンプルネームから選択することで簡単にｃｈネームを設定できるが、候補としてのサンプルネームは予め決められた名前のみでありその表示順も固定されていた。従って、サンプルネーム表示領域に表示されない名前をユーザが使いたい場合、ユーザはその名前を毎回入力する必要があった。
【０００９】
本発明は、ミキサの各ｃｈに付ける名前を編集するミキサ用ネーム編集装置において、ユーザが毎回同じ名前を入力する手間を軽減し、使い勝手のよいｃｈネーム入力・編集を実現できる技術を提供することを目的とする。
【課題を解決するための手段】
【００１０】
上記目的を達成するため、請求項１の発明に係る発明は、音響信号を処理する複数のチャンネルにチャンネルネームを設定するチャンネルネーム編集装置であって、複数のカテゴリの選択肢を表示するカテゴリ表示手段と、ユーザによる前記複数のカテゴリの選択肢からの１つのカテゴリの選択操作を受け付け、選択されたカテゴリを処理対象のチャンネルのカテゴリとして設定するカテゴリ設定手段と、ユーザによるチャンネルネームの入力・編集を受け付けるチャンネルネーム入力・編集手段と、前記チャンネルネーム入力・編集手段によって入力・編集されたチャンネルネームを、処理対象のチャンネルのチャンネルネームとして設定するチャンネルネーム設定手段と、前記設定されたチャンネルネームを、前記処理対象のチャンネルに設定されているカテゴリに紐付けて、履歴情報として保持する履歴保持手段と、前記カテゴリ設定手段でユーザによるカテゴリの選択が受け付けられたとき、そのカテゴリに紐付けられている前記履歴情報を読み出し、該読み出した履歴情報に基づいて処理対象のチャンネルに設定すべきチャンネルネームの候補を提示するチャンネルネーム候補提示手段とを備え、前記チャンネルネーム設定手段は、前記チャンネルネーム候補提示手段により提示されたチャンネルネームの候補からユーザにより選択されたチャンネルネームを、処理対象のチャンネルのチャンネルネームとして設定する機能を有することを特徴とする。
【００１１】
請求項２に係る発明は、請求項１に記載のチャンネルネーム編集装置において、さらに、前記カテゴリ設定手段でユーザによるカテゴリの選択が受け付けられたとき、その選択されたカテゴリに応じてあらかじめ定められたサンプルネームを表示するサンプルネーム表示手段を備え、前記チャンネルネーム設定手段は、前記サンプルネーム表示手段により提示されたサンプルネームからユーザにより選択されたサンプルネームを、処理対象のチャンネルのチャンネルネームとして設定する機能を有することを特徴とする。
【００１２】
請求項３に係る発明は、請求項２に記載のチャンネルネーム編集装置において、前記処理対象のチャンネルに設定すべきチャンネルネームの候補として、前記サンプルネーム表示手段により提示されたサンプルネームと前記チャンネルネーム候補提示手段により提示されたチャンネルネームの候補とを混在させて表示し、該表示された中から処理対象のチャンネルのチャンネルネームを選択させることを特徴とする。
【００１３】
請求項４に係る発明は、請求項３に記載のチャンネルネーム編集装置において、前記チャンネルネーム候補提示手段により提示されたチャンネルネームの候補の方が前記サンプルネーム表示手段により提示されたサンプルネームより先頭に来るように表示することを特徴とする。
【発明の効果】
【００１４】
本発明によれば、ミキサの各ｃｈに付ける名前を編集するミキサ用ネーム編集装置において、ユーザが入力・編集して設定したチャンネルネームをカテゴリに紐付けて履歴情報として保持しておき、次のチャンネルネームの設定操作の際に、カテゴリを選択するだけで、そのカテゴリに紐付けられた履歴情報に応じたチャンネルネームの候補が提示されるので、ユーザが毎回同じ名前を入力する手間を軽減し、使い勝手のよいｃｈネーム入力・編集を実現できる。
【図面の簡単な説明】
【００１５】
【図１】実施形態のデジタルミキサのハードウェア構成図
【図２】チャンネルネーム設定画面例１を示す図
【図３】チャンネルネーム設定画面例２などを示す図
【図４】種々の方式でのサンプルネーム表示領域の表示例を示す図
【図５】サンプルネーム表示領域をアイコンの横に表示した変形例１を示す図
【図６】サンプルネーム表示領域をアイコンの横に表示した変形例２を示す図
【図７】テーブル構成図
【図８】チャンネルネーム入力処理のフローチャート
【図９】従来のチャンネルネーム設定画面例を示す図
【発明を実施するための形態】
【００１６】
以下、図面を用いて本発明の実施の形態を説明する。
【００１７】
図１は、本発明の一実施形態のミキサ用ネーム編集装置を適用したミキサ１００のハードウェア構成を示すブロック図である。ＣＰＵ１０１は、本ミキサ全体の動作を制御する処理装置である。メモリ１０２は、ＣＰＵ１０１が実行する、後述するフローチャートを用いて説明する処理などの各種のプログラムや以下の説明で例示する各種のデータなどを格納した記憶装置であり、ＲＡＭ、ＲＯＭ、フラッシュメモリ、ハードディスクなどの記憶手段を適宜組み合わせて構成したものである。表示器１０３は、このミキサの操作パネル上に設けられた各種の情報を表示するためのディスプレイである。表示器１０３は本実施形態ではタッチパネルであり、タッチ操作を検出可能なものとする。操作子１０４は、このミキサの操作パネル上に設けられたユーザが操作するための各種の操作子（電動フェーダ、ロータリーエンコーダ、スイッチ、ボタン等）である。信号処理部１０５は、例えばＤＳＰ（デジタル信号処理装置）であり、ＣＰＵ１０１の指示に基づいて各種の信号処理プログラムを実行することにより、波形Ｉ／Ｏ１０６経由で入力した音響信号のミキシング処理、効果付与処理、及び音量レベル制御処理などを行い、処理後の音響信号を波形Ｉ／Ｏ１０６経由で出力する。その他Ｉ／Ｏ１０７は、例えばＰＣなどの各種の外部機器へ接続するためのインターフェースである。バス１０８は、これら各部を接続するバスラインであり、コントロールバス、データバス、およびアドレスバスを総称したものである。１１０は、本発明に係るミキサ用ネーム編集装置を実現する構成要素を示す。
【００１８】
図２は、本実施形態のミキサにおけるｃｈネーム設定画面例１である。ｃｈネーム設定画面は、図９の従来例で説明したのと同様に、所定の画面で１つのｃｈを処理対象として指定してｃｈネーム設定を指示する所定の操作を行うことで表示器１０３に表示される。画面内の各表示要素も従来例と同様である。図２と図９とで、下２桁が同じ付番は同じ部分を示している。図２の画面２０１は、ｃｈネーム設定画面の初期状態からアイコン２４１をタッチしてカテゴリ「Ｋｉｃｋ」を選択し、サンプルネーム表示領域２０５にそのカテゴリに対応する予め決められている固定のサンプルネームを表示させたが、ユーザが使いたいネームが無かったので、ユーザはｃｈネーム設定領域２３３をタッチしてｃｈネームを入力・編集する状態とし、該領域２３３に「Ｓｔｅｅｖｅ」と入力した状態を示している。２３４はカーソルを示す。図２の状態からクローズボタン２０２をタッチして画面２０１を閉じると、入力ｃｈ１のカテゴリ「Ｋｉｃｋ」とｃｈネーム「Ｓｔｅｅｖｅ」の設定が確定する。これ以降、各ｃｈ毎の動作状況などを表示する画面においては、入力ｃｈ１のカテゴリとして「Ｋｉｃｋ」のアイコンが表示され、ｃｈネームとして「Ｓｔｅｅｖｅ」が表示されるので、ユーザはそのｃｈに演奏者Ｓｔｅｅｖｅの打楽器音を割り当てていることを容易に認識できる。なお、本発明においてカテゴリとは、例えば、楽器の種類（打楽器や弦楽器等の種別や名称等）、声の種類(男声や女声など)、音域(ソプラノやアルトなど）、演奏者の名前やバンド名あるいはホールやスタジオなどの演奏環境、演目のジャンル（演劇、ロック、ポップス等）といった、入力される信号を特性や状況・環境など種々の観点で分類したものを指す。
【００１９】
その後、このミキサの電源をオフしたり、他のユーザが入力ｃｈ１に別のｃｈネームを設定したりするなどした場合、従来のミキサであれば、設定したｃｈネームはリセットされてしまうので、ｃｈネーム「Ｓｔｅｅｖｅ」を使いたいユーザは、再度このミキサを使うときに再びこのｃｈネームを入力する必要があった。一方、本実施形態のミキサでは、入力されたｃｈネームをカテゴリ毎に履歴情報として保持しておきｃｈネームの候補として提示する機能を備えているため、従来のミキサと比較して簡単にｃｈネーム「Ｓｔｅｅｖｅ」を設定できる。
【００２０】
図３（ａ）は、図２のように入力ｃｈ１にカテゴリ「Ｋｉｃｋ」とユーザ独自のｃｈネーム「Ｓｔｅｅｖｅ」を設定した後、ミキサの電源をオフし、再度電源オンして入力ｃｈ１のｃｈネーム設定画面３０１を表示させ、カテゴリとして「Ｋｉｃｋ」を選択した状態を示す。図２と図３とで下２桁が同じ付番は同じ部分を示す。図２のように行ったｃｈネーム設定において、カテゴリ「Ｋｉｃｋ」でｃｈネーム「Ｓｔｅｅｖｅ」が設定されていたので、本ミキサはその履歴情報を保持している。そして、カテゴリ「Ｋｉｃｋ」が選択されたとき、従来のミキサと同様に表示していた固定のサンプルネームに加えてその履歴情報に応じた候補をサンプルネーム表示領域３０５に表示する。具体的には固定の（プリセットされている）サンプルネームの先頭に履歴情報に保持されているユーザが入力・編集したｃｈネームを追加してサンプルネーム表示領域３０５に表示する。図３のサンプルネーム表示領域３０５では、前回カテゴリ「Ｋｉｃｋ」で入力されたｃｈネーム「Ｓｔｅｅｖｅ」が先頭のサンプルネーム３５１として表示され、３５２以降は従前の固定のサンプルネームが表示されている。
【００２１】
カテゴリ「Ｋｉｃｋ」を選択した状態では、ｃｈネーム設定領域３３３には処理対象の入力ｃｈ１にデフォルトで付けられているｃｈネーム「Ｉｎ０１」が表示されている。ここからユーザは、サンプルネーム表示領域３０５の先頭のサンプルネーム「Ｓｔｅｅｖｅ」３５１をタッチするだけで、以前に入力された「Ｓｔｅｅｖｅ」をワンタッチでｃｈネームとして設定できる。図３（ｂ）は、サンプルネーム「Ｓｔｅｅｖｅ」３５１をタッチした後のｃｈネーム設定領域３３３の状態を示す。
【００２２】
以上説明したｃｈネーム設定の方式を「方式１」と呼ぶ。方式１の操作および動作手順をまとめると以下のようになる。（１）ｃｈネーム設定画面３０１において候補アイコン表示領域３０４からアイコンが選択されカテゴリが指定される。（２）指定されたカテゴリの元でｃｈネーム設定領域３３３における入力・編集が実行され、クローズボタン３０２がタッチされて、最終的にユーザ独自のｃｈネームが処理対象ｃｈに設定される。（３）このとき、そのｃｈネームを履歴情報として保持しておく。（４）次にｃｈネーム設定画面３０１で同じカテゴリが選択されたときには、サンプルネーム表示領域３０５の先頭に、履歴情報として保持してあるｃｈネームを追加して表示する。上記（２）の前にその時点でサンプルネーム表示領域３０５に表示されているサンプルネームを選択し、（２）ではｃｈネーム設定領域３３３上でそのサンプルネームを編集するようにしてもよい。
【００２３】
履歴情報は、ユーザにより明示的に削除の指示が無ければ削除されることはないものとする。従って、ユーザが設定したｃｈネームは順にスタックに積むような形で履歴情報として保持されていく。方式１では、サンプルネーム表示領域３０５への表示の際に、履歴情報として複数のｃｈネームが保持されているときは、設定日時が新しい方がより先頭側（領域３０５の左側）に表示されるように順に並べ、その後に固定のサンプルネームを並べて表示するものとする。図３（ｃ）は、同じカテゴリにおいて、ユーザにより「Ｓｔｅｅｖｅ」「Ｗｉｌｌｉａｍ」「Ｄａｖｉｄ」「Ｂａｋｅｒ」の順でｃｈネームが設定され、その後、そのカテゴリを選択したときに表示されるサンプルネーム表示領域３０５の表示例である。
【００２４】
次に、別方式のサンプルネーム表示領域の表示例を説明する。図４（ａ）は、方式２のサンプルネーム表示領域の表示例を示す。上記方式１では、固定のサンプルネームと履歴情報のｃｈネームとを混在させ、履歴情報のｃｈネームを先頭に入れ込む形でサンプルネーム表示領域３０５の表示を行った。これに対し、方式２では、固定のサンプルネームと履歴情報のｃｈネームとを分けて別領域に表示する。４０１は固定のサンプルネームを表示する領域であり、４０２はユーザが設定して履歴情報として保持されているｃｈネームを表示する領域である。履歴情報として保持されているｃｈネームが複数ある場合は、その設定日時が新しい順に並べて領域４０２に表示するものとする。領域４０１に表示される固定のサンプルネーム、および、領域４０２に表示される履歴情報のｃｈネームは、その時点で選択されているカテゴリに対応するネームである。方式２では、これらの領域４０１，４０２を、図３（ａ）のサンプルネーム表示領域３０５の代わりに表示する。言い替えると、方式２は、上記方式１の（１）〜（４）の操作および動作手順を踏襲するが、（４）の表示を図４（ａ）のような表示に置き換えるものである。
【００２５】
ユーザには、ｃｈネームは予め用意されているサンプルネームから選べば良いとするユーザもいれば、自分で独自にｃｈネームを付けたいユーザもいるので、方式２のように別の領域で表示することで、これらのユーザの幅広い要求に応えることができる。なお、画面の大きさによって領域４０１，４０２を１度に表示する範囲を確保できない場合は、例えば狭い表示範囲の枠の中で、領域４０１と４０２とを上下左右にスクロールさせたり、タブ表示などの切替指示操作に応じて表示内容を切り替えたりできるようにすればよい。
【００２６】
図４（ｂ）は、方式３の表示例を示す。方式３は、ユーザが枝番を付けてｃｈネームを設定したケースである。例えば、図２のｃｈネーム設定画面の状態（カテゴリ「Ｋｉｃｋ」が選択されている）でユーザがサンプルネーム表示領域２０５からネーム「Ｆｏｏｔ」を選択し、さらにその選択したネーム「Ｆｏｏｔ」の後に枝番「−１」を加える編集を施し、編集後の「Ｆｏｏｔ−１」を入力ｃｈ１のｃｈネームとして設定したとする。このネーム「Ｆｏｏｔ−１」は、カテゴリ「Ｋｉｃｋ」に対応する履歴情報として保持される。次に、入力ｃｈ１とは別のｃｈを処理対象としてｃｈネーム設定画面を表示させ、カテゴリ「Ｋｉｃｋ」を選択すると、方式３におけるそのときのサンプルネーム表示領域の表示は図４（ｂ）の４０３に示すようになる。すなわち、ユーザが設定したネーム「Ｆｏｏｔ−１」が先頭のサンプルネーム４３１として表示され、次に枝番がカウントアップされたネーム「Ｆｏｏｔ−２」がサンプルネーム４３２として表示され、４３３以降は従前の固定のサンプルネームが表示される。言い替えると、方式３は、上記方式１の（１）〜（４）の操作および動作手順を踏襲するが、（４）の表示を図４（ｂ）のような表示に置き換えるものである。
【００２７】
ユーザが、あるｃｈに枝番付きの例えば「Ｆｏｏｔ−１」をｃｈネームとして設定した場合、次の処理対象ｃｈのｃｈネームの設定で、前記枝番をカウントアップした次の枝番のｃｈネームを付ける可能性は高いと考えられる。方式３では、ユーザが入力した「Ｆｏｏｔ−１」の次の枝番の「Ｆｏｏｔ−２」を自動的に候補としてサンプルネーム表示領域４０３に表示するので、ユーザは次の枝番のｃｈネームをワンタッチで設定することができる。なお、方式３と方式２とを組み合わせても良い。その場合、図４（ａ）の領域４０２の代わりに図４（ｂ）の領域４０３の表示を行えば良い。ただし、図４（ｂ）の４３３以降のサンプルネームは、図４（ａ）では領域４０１で表示されているので、図４（ｂ）の領域４０３以降は「Ｆｏｏｔ−３」「Ｆｏｏｔ−４」とするのが良い。
【００２８】
図４（ｃ）は、方式３の別の枝番の表示例を示す。図４（ｂ）では数字の枝番「−１」「−２」…としたが、枝番を広義にとらえれば数字以外の枝番を付ける場合もある。例えば、図２のｃｈネーム設定画面の状態（カテゴリ「Ｋｉｃｋ」が選択されている）でユーザがｃｈネーム設定領域で「ＦｏＨ−Ｈｉｇｈ」と入力し、この「ＦｏＨ−Ｈｉｇｈ」を入力ｃｈ１のｃｈネームとして設定したとする。このネーム「ＦｏＨ−Ｈｉｇｈ」は、カテゴリ「Ｋｉｃｋ」に対応する履歴情報として保持される。次に、入力ｃｈ１とは別のｃｈを処理対象としてｃｈネーム設定画面を表示させ、カテゴリ「Ｋｉｃｋ」を選択すると、方式３におけるそのときのサンプルネーム表示領域の表示は図４（ｃ）の４０４に示すようになる。すなわち、ユーザが入力したネーム「ＦｏＨ−Ｈｉｇｈ」が先頭のサンプルネーム４４１として表示され、次に当該枝番「−Ｈｉｇｈ」から次に付けると想定される枝番「−Ｍｉｄ」「−Ｌｏｗ」「−Ｓｕｂ」が付されたネーム「ＦｏＨ−Ｍｉｄ」「ＦｏＨ−Ｌｏｗ」「ＦｏＨ−Ｓｕｂ」がサンプルネーム４４２，４４３，４４４として表示される。言い替えると、方式３の別の枝番の例では、上記方式１の（１）〜（４）の操作および動作手順を踏襲するが、（４）の表示を図４（ｃ）のような表示に置き換えるものである。
【００２９】
ユーザが、あるｃｈに枝番付きの例えば「ＦｏＨ−Ｈｉｇｈ」をｃｈネームとして設定した場合、次の処理対象ｃｈのｃｈネームの設定で、前記枝番「−Ｈｉｇｈ」から想定される別の枝番のｃｈネームを付ける可能性は高いと考えられる。方式３の別の枝番の例では、ユーザが入力した「ＦｏＨ−Ｈｉｇｈ」から次に設定すると想定される「ＦｏＨ−Ｍｉｄ」「ＦｏＨ−Ｌｏｗ」「ＦｏＨ−Ｓｕｂ」を自動的に候補としてサンプルネーム表示領域４０４に表示するので、ユーザはそれら想定される枝番のｃｈネームをワンタッチで設定することができる。なお、図４（ｃ）の方式３の別の枝番の例と方式２とを組み合わせても良い。その場合、図４（ａ）の領域４０２の代わりに図４（ｃ）の領域４０４の表示を行えば良い。
【００３０】
図４（ｄ）は、方式４の表示例を示す。方式４は、ユーザが設定したｃｈネームに枝番を付けて提示するケースである。例えば、図２のｃｈネーム設定画面の状態（カテゴリ「Ｋｉｃｋ」が選択されている）でユーザがｃｈネーム設定領域で「Ｓｔｅｅｖｅ」と入力し、この「Ｓｔｅｅｖｅ」を入力ｃｈ１のｃｈネームとして設定したとする。このネーム「Ｓｔｅｅｖｅ」は、カテゴリ「Ｋｉｃｋ」に対応する履歴情報として保持される。次に、入力ｃｈ１とは別のｃｈを処理対象としてｃｈネーム設定画面を表示させ、カテゴリ「Ｋｉｃｋ」を選択すると、方式４におけるそのときのサンプルネーム表示領域の表示は図４（ｄ）の４０５に示すようになる。すなわち、ユーザが入力したネーム「Ｓｔｅｅｖｅ」が先頭のサンプルネーム４５１として表示され、４５２以降にはそのユーザ入力されたネームに枝番を付けたネーム「Ｓｔｅｅｖｅ−１」「Ｓｔｅｅｖｅ−２」「Ｓｔｅｅｖｅ−３」が表示される。言い替えると、方式４は、上記方式１の（１）〜（４）の操作および動作手順を踏襲するが、（４）の表示を図４（ｄ）のような表示に置き換えるものである。
【００３１】
ユーザが、あるｃｈに「Ｓｔｅｅｖｅ」をｃｈネームとして設定した場合、次の処理対象ｃｈのｃｈネームの設定では、そのネームに枝番を付けたｃｈネームを付ける可能性があると考えられる。方式４では、ユーザが入力した「Ｓｔｅｅｖｅ」に枝番を付けたネームを自動的に候補としてサンプルネーム表示領域４０５に表示するので、ユーザは枝番付きのｃｈネームをワンタッチで設定することができる。なお、方式４と方式２とを組み合わせても良い。その場合、図４（ａ）の領域４０２の代わりに図４（ｄ）の領域４０５の表示を行えば良い。
【００３２】
図４（ｅ）は、方式５の表示例を示す。方式５は、方式１の変形例であり、ユーザが設定したｃｈネームに枝番を付けて提示するケースである。方式１ではユーザ入力されたｃｈネームが図３（ａ）のサンプルネーム表示領域３０５のように表示されることを説明した。図４（ｅ）の４０６は、サンプルネーム表示領域３０５と同じ表示である。方式５では、このサンプルネーム表示領域４０６の先頭に表示されているユーザが入力したｃｈネーム４６１にタッチすることにより、そのｃｈネーム「Ｓｔｅｅｖｅ」の近傍に枝番を付けたネーム「Ｓｔｅｅｖｅ−１」「Ｓｔｅｅｖｅ−２」が４６１−１，４６１−２のように表示される。言い替えると、方式５は、上記方式１の（１）〜（４）の操作および動作手順を踏襲するが、（４）の表示処理の中で、サンプルネーム表示領域４０６内の何れかのネームがタッチされたらそのネームに枝番を付けて表示するものである。方式５によれば、方式１に加えて、枝番付きのネームを自動的に候補として追加表示するので、ユーザは枝番付きのｃｈネームをワンタッチで設定することができる。
【００３３】
図５は、サンプルネーム表示領域の表示の仕方の別の変形例１を示す。上記方式１〜５では、ｃｈネーム設定画面の下側にサンプルネーム表示領域（２０５，３０５，４０１〜４０６）を設けた。これに対し、図５のｃｈネーム設定画面５０１では、アイコン＆ネーム表示領域５０３と候補アイコン表示領域５０４は設けられているが、候補アイコン表示領域５０４の下側にサンプルネーム表示領域は設けられていない。候補アイコン表示領域５０４内の何れかのアイコン（例えば「Ｋｉｃｋ」５４１）が選択されたとき、そのアイコンの近傍に、そのアイコンが示すカテゴリに対応するサンプルネーム表示領域がネームリスト５０５のように表示される。その表示の態様はどのようなものでもよい。図５では、方式１で説明した図３（ｃ）のサンプルネーム表示領域３０５をネームリスト５０５のように表示する例を示したが、方式２〜５でも同様である。方式２の２段の領域や方式５の枝番のネームのリストは、例えば、領域４０１や４０６のネームを縦に並べて表示した後、その隣に２列になるように領域４０２や４６１−１，４６１−２のネームを表示すればよい。
【００３４】
図６は、サンプルネーム表示領域の表示の仕方の別の変形例２を示す。この変形例２は、方式２の変形例である。図６のｃｈネーム設定画面６０１では、サンプルネーム表示領域６０５が設けられている。このサンプルネーム表示領域６０５は、図４（ａ）の方式２の領域４０１と同じものであり、固定のサンプルネームを表示する領域である。選択されたアイコン６４１の近傍には、図４（ａ）の方式２の領域４０２のネームがネームリスト６０６に示すように表示される。なお、方式３，４を方式２と組み合わせることにより、領域４０２に代えて領域４０３〜４０５を表示して良い旨を説明したが、これらの領域４０３〜４０５のネームのリストをネームリスト６０６に示すように表示してもよい。
【００３５】
なお、ミキサのｃｈネーム設定の方式として、上述の方式・変形例のどれを採用するかは予めファクトリプリセットされているものとする。ただし、オプションで切り替えられるようにしてもよい。また、方式３乃至方式５のように、ユーザが入力したｃｈネームに枝番を付与して展開する場合は、枝番の付与ルールはあらかじめ定義されており、ユーザ入力のｃｈネームが登録された際、その文字列の構文を解析して枝番を付与するように構成する。例えば、方式２であれば、連続した番号や記号（アルファベットやカナ文字等）を付与する場合はハイフン“−”に後続する文字列を抽出し、あらかじめ定められたパターン（たとえば数字のみである等）に合致していれば、抽出した文字列から連続的に枝番を付与したｃｈネームを展開するようにする。また方式３のように意味のある枝番に展開する場合であれば、あらかじめ枝番として付与する複数の単語（上記例の場合であれば“Ｈｉｇｈ”、“Ｍｉｄ”、“Ｌｏｗ”、“Ｓｕｂ”）を１グループとした辞書を記憶しておき、ハイフン“−”に後続する文字列を抽出し、その文字列が辞書中に存在するかどうかを検索し、該当する単語のグループがあればそれを枝番として付与したｃｈネームを展開するようにする（なお、この場合同じ単語が複数の単語グループに含まれないように辞書を構成することが望ましい）。また、方式４であれば、ユーザ入力のｃｈネームに対して、無条件に方式２あるいは方式３に従った枝番を付与するようにする。枝番の付与ルールはあらかじめ定義したものを用いるほか、ユーザが任意に定義したものを適用するように構成してもよい。また枝番を付与して展開するｃｈネームの数もあらかじめ定めておいても良いし、ユーザが任意に設定できるようにしてもよい。
【００３６】
図７は、本実施形態のミキサがメモリ１０２上に備えるテーブルの構成例を示す。カテゴリテーブル７０１は、各カテゴリに関する情報、例えばカテゴリ（アイコン）の名称やアイコンの画像などを格納したテーブルである。カテゴリテーブル７０１は、カテゴリ毎に、固定サンプルネームテーブル７０２へのポインタとネーム履歴テーブル７０３へのポインタを持つ。固定サンプルネームテーブル７０２は、カテゴリに対応する固定のサンプルネームを格納したテーブルである。ネーム履歴テーブル７０３は、そのカテゴリでユーザが何れかのｃｈのｃｈネームとして設定したｃｈネームを保持するテーブルであり、所定数のｃｈネーム保持領域が設けられている。初期状態では全てのｃｈネーム保持領域が空である。ネーム履歴テーブル７０３の項番は説明の便宜のために付けたもので、その項番が小さいほど新しく設定されたｃｈネームであることを示す。
【００３７】
例えば、カテゴリ「Ｋｉｃｋ」が選択され、そのカテゴリで初めてユーザがあるｃｈにｃｈネーム「Ｓｔｅｅｖｅ」を設定したとすると、ネーム履歴テーブル７０３の項番１のｃｈネーム保持領域に「Ｓｔｅｅｖｅ」が記憶され、ネーム履歴テーブルの内容は７０４に示す状態となる。さらに、ユーザがｃｈネーム「Ｗｉｌｌｉａｍ」「Ｄａｖｉｄ」「Ｂａｋｅｒ」の順で設定したとすると、その都度、それまでに保持されていたｃｈネームは項番を繰り下げ、新たなｃｈネームがネーム履歴テーブルの項番１に追加されていくので、ネーム履歴テーブルの内容は７０５に示す状態となる。なお、上記方式３乃至方式５のように枝番を付与する場合は、ユーザ入力のｃｈネームが設定されたことに応じて、枝番付与ルールに従って枝番を付与したｃｈネームに展開し、ネーム履歴テーブルに追加記憶させるようにする。
【００３８】
図８は、ｃｈネーム入力処理の手順を示すフローチャートである。この処理は、処理対象のｃｈが指定されてｃｈネームの設定が指示されたときＣＰＵ１０１が実行する。まず、ステップ８０１でｃｈネーム設定画面（２０１，３０１）を表示する。このとき、処理対象のｃｈに既にカテゴリおよびｃｈネームが設定されていた場合は、それらを反映させてアイコン＆ネーム表示領域（２０３，３０３）を表示する。処理対象のｃｈにカテゴリおよびｃｈネームが設定されていない場合は、選択アイコン表示（２３２，３３２）は空白とし、ｃｈ番号表示（２３１，３３１）を表示し、ｃｈネーム設定領域（２３３，３３３）にはデフォルトのｃｈネームを表示する。候補アイコン表示領域（２０４，３０４）には、カテゴリテーブル７０１から各カテゴリのアイコンを読み出して表示する。サンプルネーム表示領域（２０５，３０５）は、処理対象のｃｈに既にカテゴリおよびｃｈネームが設定されていた場合は、後述するステップ８０３〜８０５と同様の処理でそのカテゴリに応じた表示を行い、処理対象のｃｈにカテゴリおよびｃｈネームが設定されていない場合は、空白とする。
【００３９】
次に、ステップ８０２でユーザによる入力を判定する。候補アイコン表示領域（２０４，３０４）からアイコンが選択された場合は、ステップ８０３で、選択されたアイコンが示すカテゴリに対応する固定サンプルネームテーブル７０２とネーム履歴テーブル７０３からサンプルネームと履歴データ（ｃｈネーム保持領域に記憶されているｃｈネーム）を読み出す。ステップ８０４では、読み出したサンプルネームと履歴データからサンプルネーム表示領域（２０５，３０５）の表示データを決定する。例えば、方式１であれば、読み出したサンプルネームの先頭に履歴データのｃｈネームを追加すればよい。他の方式や変形例の場合も、その方式や変形例で説明した表示が為されるように表示データを決定すればよい。次に、ステップ８０５で、選択アイコン表示（２３２，３３２）とサンプルネーム表示領域（２０５，３０５）の再表示を行い、次の入力を待つ。
【００４０】
ユーザによりサンプルネーム表示領域（２０５，３０５）内の何れかのネームが選択された場合は、ステップ８０６で、選択されたネームをｃｈネーム設定領域（２３３，３３３）に設定し、ステップ８０７で、その再表示を行い、次の入力を待つ。
【００４１】
ユーザによりｃｈネーム設定領域（２３３，３３３）がタッチされたときは、ステップ８０８で、カーソル（２３４）を表示し、さらに入力された文字をｃｈネーム設定領域（２３３，３３３）に設定し、ステップ８０７で、その再表示を行い、次の入力を待つ。
【００４２】
ユーザによりクローズボタン（２０２，３０２）がタッチされたときは、ステップ８１０で、処理対象のｃｈのｃｈネームとしてｃｈネーム設定領域（２３３，３３３）に設定されているネームを設定し、ステップ８１１で、設定したｃｈネームをネーム履歴テーブル７０３に追加する（この際、枝番を付与する場合は合わせて枝番を付与したｃｈネームを追加する）。なお、ステップ８１１のネーム履歴テーブル７０３への追加は、ユーザが独自に入力・編集したｃｈネームのみを追加するものであり、固定のサンプルネームから選択したものはネーム履歴テーブル７０３へは追加しないものとする。
【００４３】
上記実施形態では、図７のネーム履歴テーブルで説明したように、ユーザにより最新に設定されたｃｈネームがサンプルネーム表示領域等の先頭に表示されるようにしたが、ネーム履歴テーブルに保持される各ｃｈネームにそれぞれ使用頻度をカウントする領域を設け、ユーザによりそのｃｈネームが使用される毎に使用頻度をカウントアップし、その使用頻度に基づいてサンプルネーム表示領域等の表示の順番を決定しても良い。
【００４４】
上記実施形態では、サンプルネーム表示領域に表示されるサンプルネームは４個としたが、この数は任意である。各サンプルネームの表示を小さくして多数のサンプルネームを表示するようにしてもよい。また、本実施形態では、サンプルネーム表示領域の表示はスクロールさせないものとしたが、ユーザのスワイプ操作などによりスクロールさせて、より多くのサンプルネームを選択できるようにしてもよい。
【００４５】
上記実施形態では、本発明をデジタルミキサ１００に適用したものとしたが、本発明の実施形態はこれに限定されるものではなく、本発明の技術思想を逸脱しない範囲で種々の形態に適用することができる。例えば、本発明を実現するソフトウェアを汎用の情報端末（ＰＣ、スマートフォン等）にインストールし、当該ソフトウェアを実行することにより本発明のミキサ用ネーム編集装置として機能させてもよい。あるいは、本発明を実現するソフトウェアをオンライン・サービスとして提供し、汎用の情報端末から当該サービスにアクセスすることにより、全体として本発明のミキサ用ネーム編集装置として機能させてもよい。
【符号の説明】
【００４６】
１００…デジタルミキサ、１０１…中央処理装置（ＣＰＵ）、１０２…メモリ、１０３…表示器、１０４…操作子、１０５…信号処理部（ＤＳＰ）、１０６…波形Ｉ／Ｏ、１０７…その他Ｉ／Ｏ。
【図１】
2015184927.tif 000003
【図２】
2015184927.tif 000004
【図３】
2015184927.tif 000005
【図４】
2015184927.tif 000006
【図５】
2015184927.tif 000007
【図６】
2015184927.tif 000008
【図７】
2015184927.tif 000009
【図８】
2015184927.tif 000010
【図９】
2015184927.tif 000011